(57)【要約】【課題】  第１原稿読み取り部にセットされた原稿と、自動原稿送り装置によって第２原稿読み取り部に導かれた原稿とを読み取るにあたり、低コストで、これらの原稿を効率よく読み取ることができるようにする。【解決手段】  第１光源16から第１原稿読み取り部11にセットされた原稿P1に照射されて反射された光を、第１光路L1を通して撮像素子21に導く一方、第２光源22から第２原稿読み取り部14に導かれた原稿P2に照射されて反射された光を、第２光路L2を通して同じ撮像素子に導いてそれぞれの原稿を読み取るにあたり、第２光路上に設けられた第１光路における第３ミラー19を回動装置31により回動させて、撮像素子に導く光を第１光路と第２光路との間で切り換えるようにした。【選択図】  図１
2012249088.tif 000002
【特許請求の範囲】
【請求項１】
原稿を静止させた状態で原稿を読み取る第１原稿読み取り部と、自動原稿送り装置によって原稿を搬送させながら原稿を読み取る第２原稿読み取り部が設けられた画像読取装置において、上記の第１原稿読み取り部にセットされた原稿を押さえる開閉可能な押え蓋を、上記の自動原稿送り装置と分離させて設けると共に、上記の第１原稿読み取り部にセットされた原稿に光を照射させる第１光源と、上記の第２原稿読み取り部に導かれた原稿に光を照射させる第２光源とを設け、上記の第１光源から第１原稿読み取り部にセットされた原稿に照射されて反射された光を、第１光路を通して撮像素子に導いて第１原稿読み取り部における原稿を読み取る一方、上記の第２光源から第２原稿読み取り部に導かれた原稿に照射されて反射された光を、第２光路を通して同じ撮像素子に導いて第２原稿読み取り部に導かれた原稿を読み取るにあたり、上記の撮像素子に導く光を上記の第１光路と第２光路との間で切り換える切り換え手段を設けたことを特徴とする画像読取装置。
【請求項２】
請求項１に記載の画像読取装置において、上記の第１光路において光を反射させて撮像素子に導くミラーが、上記の第２光路上に移動可能に設けられ、上記の切り換え手段により、第１光路における上記のミラーを移動させて、撮像素子に導く光を上記の第１光路と第２光路との間で切り換えることを特徴とする画像読取装置。
【請求項３】
請求項１又は請求項２に記載の画像読取装置において、上記の第１光路と第２光路とにそれぞれシャッター装置を設け、上記の切り換え手段により、各シャッター装置の開閉を切り換えて、撮像素子に導く光を上記の第１光路と第２光路との間で切り換えることを特徴とする画像読取装置。
【請求項４】
請求項１〜請求項３の何れか１項に記載の画像読取装置において、上記の切り換え手段により、上記の第１光源と第２光源とにおける点灯と消灯とを切り換えて、撮像素子に導く光を上記の第１光路と第２光路との間で切り換えることを特徴とする画像読取装置。
【請求項５】
請求項２〜請求項４の何れか１項に記載の画像読取装置において、上記の第１光路において光を反射させて撮像素子に導くミラーが、上記の第２光路を通して導かれる光を透過させるハーフミラーで構成されていることを特徴とする画像読取装置。
【請求項６】
請求項１〜請求項５の何れか１項に記載の画像読取装置において、第１原稿読み取り部にセットされた原稿の読み取りを指示する第１指示手段と、自動原稿送り装置により原稿を第２原稿読み取り部に導いて原稿の読み取りを指示する第２指示手段と、上記の切り換え手段による切り換えを制御する制御装置とを設け、第２原稿読み取り部に導かれた原稿の読み取り途中に、上記の第１指示手段による原稿の読み取りが指示された場合に、上記の制御装置により切り換え手段を制御し、第２原稿読み取り部に導かれた読み取り途中の原稿の読み取り終了後に、第１原稿読み取り部にセットされた原稿の読み取りを行うことを特徴とする画像読取装置。
【請求項７】
請求項１〜請求項６の何れか１項に記載の画像読取装置において、第１原稿読み取り部にセットされた原稿の読み取りを指示する第１指示手段と、自動原稿送り装置により原稿を第２原稿読み取り部に導いて原稿の読み取りを指示する第２指示手段と、上記の切り換え手段による切り換えを制御する制御装置とを設け、第１原稿読み取り部にセットされた原稿の読み取り途中に、上記の第２指示手段による原稿の読み取りが指示された場合に、上記の制御装置により切り換え手段を制御し、第１原稿読み取り部にセットされた原稿の読み取り終了後に、自動原稿送り装置により原稿を第２原稿読み取り部に導いて原稿の読み取りを行うことを特徴とする画像読取装置。
【請求項８】
請求項１〜請求項５の何れか１項に記載の画像読取装置において、上記の第１光源から第１原稿読み取り部にセットされた原稿に照射されて反射された光を、第１光路を通して撮像素子に導く動作と、上記の第２光源から第２原稿読み取り部に導かれた原稿に照射されて反射された光を、第２光路を通して同じ撮像素子に導く動作を同時に行い、それぞれの動作中に上記の切り換え手段により、撮像素子に導く光を上記の第１光路と第２光路との間で切り換え、第１原稿読み取り部における原稿の読み取りと、第２原稿読み取り部に導かれた原稿の読み取りとを同時に行うことを特徴とする画像読取装置。
【発明の詳細な説明】
【技術分野】
【０００１】
本発明は、複写機，ファクシミリ及びこれらの複合機等において、原稿を読み取るのに使用される画像読取装置に関するものである。特に、原稿を静止させた状態で原稿を読み取る第１原稿読み取り部と、自動原稿送り装置によって原稿を搬送させながら原稿を読み取る第２原稿読み取り部が設けられた画像読取装置において、自動原稿送り装置によって第２原稿読み取り部に導かれた原稿を読み取るのに、ＣＩＳのような高価な接触画像センサーを用いなくても、第１原稿読み取り部における原稿と、第２原稿読み取り部に導かれた原稿とを効率よく読み取ることができるようにした点に特徴を有するものである。
【背景技術】
【０００２】
複写機，ファクシミリ及びこれらの複合機等においては、原稿を画像読取装置によって読み取るようにしており、近年においては、第１原稿読み取り部の上に静止させてセットした原稿を読み取るようにすると共に、自動原稿送り装置によって原稿を第２原稿読み取り部に導き、このように第２原稿読み取り部に導かれた原稿を搬送させながら読み取るようにしたものが広く用いられている。
【０００３】
ここで、上記のような画像読取装置においては、一般に、第１原稿読み取り部にセットされた原稿を押さえる開閉可能な押え蓋が自動原稿送り装置と一体に設けられていたため、自動原稿送り装置によって原稿を第２原稿読み取り部に導いて原稿を読み取る動作と、第１原稿読み取り部に原稿をセットさせる動作とを同時に行うことができず、第１原稿読み取り部における原稿と、第２原稿読み取り部に導かれた原稿とを効率よく読み取ることができないという問題があった。
【０００４】
そして、近年においては、特許文献１に示されるように、第１原稿読み取り部にセットされた原稿を押さえる開閉可能な押え蓋を、自動原稿送り装置と分離させて設け、第１原稿読み取り部にセットした原稿に対して第１の光源から光を照射させ、原稿において反射された光を光学系によりＣＣＤ等の撮像素子に導いて上記の原稿を読み取る動作と、自動原稿送り装置によって第２原稿読み取り部に導かれた原稿をＣＩＳのような接触画像センサーを用いて読み取る動作とを同時に行うようにしたものが提案されている。
【０００５】
しかし、この特許文献１に示されるように、第１原稿読み取り部にセットされた原稿を読み取るＣＣＤ等の撮像素子の他に、自動原稿送り装置によって第２原稿読み取り部に導かれた原稿を読み取るＣＩＳのような接触画像センサーを設けた場合、この接触画像センサーが高価であるため、コストが高く付くという問題があった。
【先行技術文献】
【特許文献】
【０００６】
【特許文献１】特開２００６−１２８７６５号公報
【発明の開示】
【発明が解決しようとする課題】
【０００７】
本発明は、原稿を静止させた状態で原稿を読み取る第１原稿読み取り部と、自動原稿送り装置によって原稿を搬送させながら原稿を読み取る第２原稿読み取り部が設けられた画像読取装置における上記のような問題を解決することを課題とするものである。
【０００８】
すなわち、本発明は、上記のような画像読取装置において、自動原稿送り装置によって第２原稿読み取り部に導かれた原稿を読み取るのに、ＣＩＳのような高価な接触画像センサーを別個に用いなくても、第１原稿読み取り部における原稿と、第２原稿読み取り部に導かれた原稿とを効率よく読み取ることができるようにすることを課題とするものである。
【課題を解決するための手段】
【０００９】
本発明においては、上記のような課題を解決するため、原稿を静止させた状態で原稿を読み取る第１原稿読み取り部と、自動原稿送り装置によって原稿を搬送させながら原稿を読み取る第２原稿読み取り部が設けられた画像読取装置において、上記の第１原稿読み取り部にセットされた原稿を押さえる開閉可能な押え蓋を、上記の自動原稿送り装置と分離させて設けると共に、上記の第１原稿読み取り部にセットされた原稿に光を照射させる第１光源と、上記の第２原稿読み取り部に導かれた原稿に光を照射させる第２光源とを設け、上記の第１光源から第１原稿読み取り部にセットされた原稿に照射されて反射された光を、第１光路を通して撮像素子に導いて第１原稿読み取り部における原稿を読み取る一方、上記の第２光源から第２原稿読み取り部に導かれた原稿に照射されて反射された光を、第２光路を通して同じ撮像素子に導いて第２原稿読み取り部に導かれた原稿を読み取るにあたり、上記の撮像素子に導く光を上記の第１光路と第２光路との間で切り換える切り換え手段を設けた。
【００１０】
そして、このように第１原稿読み取り部にセットされた原稿を押さえる開閉可能な押え蓋を、自動原稿送り装置と分離させて設けると、自動原稿送り装置によって原稿を第２原稿読み取り部に導いて原稿を読み取る動作と、第１原稿読み取り部に原稿をセットさせる動作とを同時に行うことができるようになる。
【００１１】
また、第１光源から第１原稿読み取り部にセットされた原稿に照射されて反射された光を、第１光路を通して撮像素子に導いて第１原稿読み取り部における原稿を読み取る一方、上記の第２光源から第２原稿読み取り部に導かれた原稿に照射されて反射された光を、第２光路を通して同じ撮像素子に導いて第２原稿読み取り部に導かれた原稿を読み取るにあたり、撮像素子に導く光を上記の切り換え手段により上記の第１光路と第２光路との間で切り換えるようにすると、第１原稿読み取り部にセットされた原稿の読み取りと、自動原稿送り装置によって第２原稿読み取り部に導かれた原稿の読み取りとが、１つの撮像素子において行えるようになる。
【００１２】
そして、本発明の画像読取装置において、上記の撮像素子に導く光を、切り換え手段によって上記の第１光路と第２光路との間で切り換えるにあたっては、例えば、第１光路において光を反射させて撮像素子に導くミラーを第２光路上に回動可能に設け、切り換え手段により、第１光路における上記のミラーを回動させて、撮像素子に導く光を第１光路と第２光路との間で切り換えるようにすることができる。また、第１光路と第２光路とにそれぞれシャッター装置を設け、切り換え手段により、各シャッター装置の開閉を切り換えて、撮像素子に導く光を第１光路と第２光路との間で切り換えるようにすることができる。さらに、切り換え手段により、上記の第１光源と第２光源とにおける点灯と消灯とを切り換えて、撮像素子に導く光を上記の第１光路と第２光路との間で切り換えたりすることができる。
【００１３】
また、第１光路において光を反射させて撮像素子に導くミラーが第２光路上に存在する場合には、このミラーを、第２光路を通して導かれる光を透過させるハーフミラーで構成することができる。
【００１４】
また、本発明の画像読取装置において、第１原稿読み取り部にセットされた原稿に読み取る動作と、第２原稿読み取り部に導かれて搬送される原稿を読み取る動作とを切り換えるにあたっては、例えば、第１原稿読み取り部にセットされた原稿の読み取りを指示する第１指示手段と、自動原稿送り装置により原稿を第２原稿読み取り部に導いて原稿の読み取りを指示する第２指示手段と、上記の切り換え手段による切り換えを制御する制御装置とを設けるようにすることができる。
【００１５】
そして、第２原稿読み取り部に導かれた原稿の読み取りを行っている途中に、上記の第１指示手段により、第１原稿読み取り部における原稿の読み取りが指示された場合には、上記の制御装置により切り換え手段を制御し、第２原稿読み取り部に導かれた読み取り途中の原稿の読み取り終了後に、第１原稿読み取り部にセットされた原稿の読み取りを行うようにする。一方、第１原稿読み取り部にセットされた原稿の読み取りを行っている途中に、上記の第２指示手段により、原稿を自動原稿送り装置により第２原稿読み取り部に導き、第２原稿読み取り部における原稿の読み取りが指示された場合には、上記の制御装置により切り換え手段を制御し、第１原稿読み取り部にセットされた原稿の読み取り終了後に、自動原稿送り装置により原稿を第２原稿読み取り部に導いて原稿の読み取りを行うようにすることができる。
【００１６】
また、本発明の画像読取装置においては、上記の第１光源から第１原稿読み取り部にセットされた原稿に照射されて反射された光を、第１光路を通して撮像素子に導いて第１原稿読み取り部における原稿を読み取る動作と、上記の第２光源から第２原稿読み取り部に導かれた原稿に照射されて反射された光を、第２光路を通して同じ撮像素子に導いて第２原稿読み取り部に導かれた原稿を読み取る動作とを同時に行い、それぞれの動作中に、上記の切り換え手段により、撮像素子に導く光を上記の第１光路と第２光路との間で切り換えるようにすることもできる。
【発明の効果】
【００１７】
本発明の画像読取装置のように、第１原稿読み取り部にセットされた原稿を押さえる開閉可能な押え蓋を、自動原稿送り装置と分離させて設けると、自動原稿送り装置によって原稿を第２原稿読み取り部に導いて原稿を読み取る動作と、第１原稿読み取り部に原稿をセットさせる動作とを同時に行うことができるようになる。
【００１８】
また、第１光源から第１原稿読み取り部にセットされた原稿に照射されて反射された光を、第１光路を通して撮像素子に導いて、第１原稿読み取り部における原稿を読み取る一方、上記の第２光源から第２原稿読み取り部に導かれた原稿に照射されて反射された光を、第２光路を通して同じ撮像素子に導いて、第２原稿読み取り部に導かれた原稿を読み取るにあたり、撮像素子に導く光を切り換え手段により上記の第１光路と第２光路との間で切り換えるようにしたため、第１原稿読み取り部にセットされた原稿の読み取りと、自動原稿送り装置によって第２原稿読み取り部に導かれた原稿の読み取りとが、１つの撮像素子によって効率よく行えるようになる。
【００１９】
このため、本発明の画像読取装置においては、従来のように、第１原稿読み取り部にセットされた原稿を読み取るＣＣＤ等の撮像素子の他に、自動原稿送り装置によって第２原稿読み取り部に導かれた原稿を読み取るＣＩＳのような高価な接触画像センサーを設ける必要がなく、コストが低減される。
【図面の簡単な説明】
【００２０】
【図１】本発明の実施形態１に係る画像読取装置において、第１原稿読み取り部にセットされた原稿を読み取る状態を示した概略説明図である。
【図２】上記の実施形態１に係る画像読取装置において、自動原稿送り装置により原稿を第２原稿読み取り部に搬送させながら、原稿の読み取りを行う状態を示した概略説明図である。
【図３】上記の実施形態１に係る画像読取装置において、第１原稿読み取り部にセットされた原稿の読み取りと、自動原稿送り装置によって第２原稿読み取り部に導かれた原稿の読み取りとを切り換えるにあたり、撮像素子に導く光を第１光路と第２光路との間で切り換えるための構成を示したブロック図である。
【図４】本発明の実施形態２に係る画像読取装置において、第１原稿読み取り部にセットされた原稿を読み取る状態を示した概略説明図である。
【図５】上記の実施形態２に係る画像読取装置において、自動原稿送り装置により原稿を第２原稿読み取り部に搬送させながら、原稿の読み取りを行う状態を示した概略説明図である。
【図６】上記の実施形態２に係る画像読取装置において、第１原稿読み取り部にセットされた原稿の読み取りと、自動原稿送り装置によって第２原稿読み取り部に導かれた原稿の読み取りとを切り換えるにあたり、撮像素子に導く光を第１光路と第２光路との間で切り換えるための構成を示したブロック図である。
【図７】本発明の実施形態３に係る画像読取装置において、第１原稿読み取り部にセットされた原稿を読み取る状態を示した概略説明図である。
【図８】上記の実施形態３に係る画像読取装置において、自動原稿送り装置により原稿を第２原稿読み取り部に搬送させながら、原稿の読み取りを行う状態を示した概略説明図である。
【図９】上記の実施形態３に係る画像読取装置において、第１原稿読み取り部にセットされた原稿の読み取りと、自動原稿送り装置によって第２原稿読み取り部に導かれた原稿の読み取りとを切り換えるにあたり、撮像素子に導く光を第１光路と第２光路との間で切り換えるための構成を示したブロック図である。
【図１０】本発明の実施形態に係る画像読取装置において、第１指示手段により、第１原稿読み取り部にセットされた第１の原稿を読み取る要求が行われた後、第２指示手段により、自動原稿送り装置により第２の原稿を第２原稿読み取り部に導いて読み取る要求が行われた場合の動作を示したフローチャートである。
【図１１】本発明の実施形態に係る画像読取装置において、第２指示手段により、自動原稿送り装置により第２の原稿を第２原稿読み取り部に導いて読み取る要求が行われた後、第１指示手段により、第１原稿読み取り部にセットされた第１の原稿を読み取る要求が行われた動作を示したフローチャートである。
【発明を実施するための形態】
【００２１】
次に、本発明の実施形態に係る画像読取装置を添付図面に基づいて具体的に説明する。なお、本発明に係る画像読取装置は、下記の実施形態に示したものに限定されず、その要旨を変更しない範囲において適宜変更して実施できるものである。
【００２２】
［実施形態１］
実施形態１の画像読取装置においては、図１及び図２に示すように、その上面部に、原稿Ｐ１を静止させた状態で読み取る第１原稿読み取り部１１と、原稿トレイ１２にセットされた原稿Ｐ２を自動原稿送り装置１３によって搬送させながら読み取る第２原稿読み取り部１４とが設けられ、上記の第１原稿読み取り部１１にセットされた原稿Ｐ１を押さえる開閉可能な押え蓋１５を、上記の自動原稿送り装置１３と分離させ、この押え蓋１５を自動原稿送り装置１３とは別に独立して開閉できるようにしている。
【００２３】
ここで、上記の第１原稿読み取り部１１にセットされて、押え蓋１５により押えられた原稿Ｐ１を読み取るにあたっては、原稿読取り方向に移動する第１スライダーＳａと第２スライダーＳｂとを設け、この第１スライダーＳａには、第１原稿読み取り部１１にセットされた原稿Ｐ１に光を照射させる第１光源１６と、この第１光源１６から原稿Ｐ１に照射されて反射された光を第２スライダーＳｂに向けて反射させる第１ミラー１７とを設け、また第２スライダーＳｂには、第２ミラー１８と第３ミラー１９とを設けている。そして、上記の第１ミラー１７によって第２スライダーＳｂに向けて反射された光を、この第２スライダーＳｂに設けられた第２ミラー１８と第３ミラー１９とで反射させて、レンズ２０を通してＣＣＤ等の撮像素子２１に導くようにしている。
【００２４】
そして、上記の第１スライダーＳａと第２スライダーＳｂとを原稿読取り方向に移動させながら、第１原稿読み取り部１１にセットされた原稿Ｐ１に対して、第１スライダーＳａに設けられた第１光源１６から光を照射させ、この原稿Ｐ１において反射された光を、上記の第１ミラー１７〜第３ミラー１９により順々に反射させ、第１光路Ｌ１を通して上記のレンズ２０に導き、このレンズ２０によって原稿Ｐ１において反射された光を撮像素子２１に結像させるようにする。
【００２５】
また、自動原稿送り装置１３によって第２原稿読み取り部１４に導かれた原稿Ｐ２を読み取るにあたっては、第２原稿読み取り部１４に導かれた原稿Ｐ２に光を照射させる第２光源２２と、この第２光源２２から原稿Ｐ２に照射されて反射された光を反射させて、上記のレンズ２０を通してＣＣＤ等の撮像素子２１に導く第４ミラー２３とを設けている。
【００２６】
そして、自動原稿送り装置１３によって上記の第２原稿読み取り部１４に導かれた原稿Ｐ２に第２光源２２から光を照射させ、この原稿Ｐ２において反射された光を、上記の第４ミラー２３より反射させ、第２光路Ｌ２を通して上記のレンズ２０に導き、このレンズ２０によって撮像素子２１に結像させるようにする。
【００２７】
ここで、この実施形態１の画像読取装置においては、第２原稿読み取り部１４に導かれた原稿Ｐ２において反射された光を上記の第４ミラー２３により反射させて撮像素子２１に導く第２光路Ｌ２上に、上記の第３ミラー１９が位置しているため、この第３ミラー１９を回動可能に設けると共に、切り換え手段３０として、この第３ミラー１９を回動させて、第３ミラー１９を第２光路Ｌ２から離れるように移動させる回動装置３１を設けている。
【００２８】
そして、この実施形態１の画像読取装置において、第１原稿読み取り部１１にセットされた原稿Ｐ１を読み取る場合には、図１に示すように、上記の第３ミラー１９を回動装置３１により回動させて、この第３ミラー１９が第２光路Ｌ２上に位置するようにし、第２ミラー１８によって反射された光を、この第３ミラー１９により上記のレンズ２０に向けて反射させて、撮像素子２１に導くようにする。
【００２９】
一方、自動原稿送り装置１３によって第２原稿読み取り部１４に導かれた原稿Ｐ２を読み取る場合には、図２に示すように、上記の第３ミラー１９を回動装置３１により回動させて第２光路Ｌ２から離れるように移動させ、上記の第４ミラー２３よって反射された光を撮像素子２１に導くようにする。
【００３０】
このようにすると、第１原稿読み取り部１１にセットされた原稿Ｐ１の読み取りと、自動原稿送り装置１３によって第２原稿読み取り部１４に導かれた原稿Ｐ２の読み取りとを、１つの撮像素子２１によって適切に行えるようになる。
【００３１】
また、この実施形態１の画像読取装置においては、第１原稿読み取り部１１にセットされた原稿Ｐ１の読み取りと、自動原稿送り装置１３によって第２原稿読み取り部１４に導かれた原稿Ｐ２の読み取りとを切り換えるにあたり、図３に示すように、第１原稿読み取り部１１にセットされた原稿Ｐ１の読み取りを指示する第１指示手段４１と、自動原稿送り装置１３によって第２原稿読み取り部１４に導かれた原稿Ｐ２の読み取りを指示する第２指示手段４２とを設けると共に、切り換え手段３０である上記の回動装置３１を制御する制御装置４３を設けるようにしている。そして、上記の第１指示手段４１と第２指示手段４２とから制御装置４３に対してそれぞれの指示を出力し、この指示に基づいて、上記の制御装置４３により、上記の回動装置３１を駆動させて第３ミラー１９の回動を制御し、撮像素子２１に導く光を上記の第１光路Ｌ１と第２光路Ｌ２との間で切り換えるようにしている。
【００３２】
さらに、この実施形態１の画像読取装置においては、上記の制御装置４３により、上記の第１光源１６と第２光源２２とに電力を出力する光源出力装置３２を駆動させて、第１光源１６と第２光源２２とにおける点灯と消灯とを制御し、第１原稿読み取り部１１にセットされた原稿Ｐ１を読み取る場合には、図１に示すように、第１光源１６を点灯させる一方、第２光源２２を消灯させるようにしている。一方、第２原稿読み取り部１４に導かれた原稿Ｐ２を読み取る場合には、図２に示すように、第２光源２２を点灯させる一方、第２光源２２を消灯させるようにしている。このようにすると、第１光源１６と第２光源２２とが不必要な場合にも点灯されて、電力が無駄に消費されるのが抑制されると共に、光の干渉等による弊害も抑制されるようになる。
【００３３】
但し、この実施形態１に示すように、第２光路Ｌ２上に位置する第３ミラー１９を回動させて、撮像素子２１に導く光を上記の第１光路Ｌ１と第２光路Ｌ２との間で切り換りようにした場合、第１原稿読み取り部１１にセットされた原稿を読み取る場合には、上記のように第３ミラー１９が第２光路Ｌ２上に位置して、第２光源２２から出射された光が撮像素子２１に導かれるのが防止される。一方、第２原稿読み取り部１４に導かれた原稿Ｐ２を読み取る場合には、第１光源１６から出射された光が第１ミラー１７及び第２ミラー１８によって反射されて第３ミラー１９に導かれたとしても、上記のように第３ミラー１９が回動し、この第３ミラー１９によって反射された光が撮像素子２１に導かれるのが防止される。このため、必ずしも、上記のように制御装置４３によって、第１光源１６と第２光源２２とにおける点灯と消灯とを制御させることは必要はない。
【００３４】
［実施形態２］
実施形態２の画像読取装置は、上記の実施形態１の画像読取装置と略同様に構成されているため、同じ構成の部分の説明は省略し、実施形態１の画像読取装置と相違する点を中心に説明する。
【００３５】
ここで、この実施形態２の画像読取装置においては、図４及び図５に示すように、上記の第２光路Ｌ２の上に位置する第３ミラー１９を回動させないようにする一方、この第３ミラー１９をハーフミラーで構成し、上記の第２ミラー１８によって反射された光をこの第３ミラー１９により反射させて撮像素子２１に導くようにする一方、上記の第４ミラー２３よって反射された光をこの第３ミラー１９を通過させて撮像素子２１に導くようにしている。
【００３６】
そして、この実施形態２においては、撮像素子２１に導く光を第１光路Ｌ１と第２光路Ｌ２との間で切り換える切り換え手段３０として、上記の第１光源１６と第２光源２２とに電力を出力する光源出力装置３２を用い、上記の実施形態１に示すように、この光源出力装置３２を制御装置４３により制御して、第１光源１６と第２光源２２とにおける点灯と消灯とを制御するようにしている。
【００３７】
また、この実施形態２の画像読取装置においても、図６に示すように、第１原稿読み取り部１１にセットされた原稿Ｐ１の読み取りを指示する第１指示手段４１と、自動原稿送り装置１３によって第２原稿読み取り部１４に導かれた原稿Ｐ２の読み取りを指示する第２指示手段４２とから、上記の制御装置４３にそれぞれの指示を出力し、これに基づいて、制御装置４３により、上記の光源出力装置３２を駆動させて、第１光源１６と第２光源２２とにおける点灯と消灯とを制御するようにしている。
【００３８】
ここで、この実施形態２の画像読取装置において、第１原稿読み取り部１１にセットされた原稿Ｐ１を読み取る場合には、図４に示すように、上記の第１光源１６を点灯させる一方、第２光源２２を消灯させるようにする。そして、第１スライダーＳａと第２スライダーＳｂとを原稿読取り方向に移動させながら、第１原稿読み取り部１１にセットされた原稿Ｐ１に対して、第１スライダーＳａに設けられた第１光源１６から光を照射させ、この原稿Ｐ１において反射された光を、上記の第１ミラー１７〜第３ミラー１９により順々に反射させ、第１光路Ｌ１を通して上記のレンズ２０に導き、このレンズ２０によって原稿Ｐ１において反射された光を撮像素子２１に結像させるようにする。
【００３９】
一方、第２原稿読み取り部１４に導かれた原稿Ｐ２を読み取る場合には、図５に示すように、第２光源２２を点灯させる一方、第１光源１６を消灯させる。そして、第２原稿読み取り部１４に導かれた原稿Ｐ２に第２光源２２から光を照射させ、この原稿Ｐ２において反射された光を、上記の第４ミラー２３において反射させ、この第４ミラー２３によって反射された光を、第２光路Ｌ２上に位置するハーフミラーで構成された第３ミラー１９を通してレンズ２０に導き、このレンズ２０によって原稿Ｐ２において反射された光を撮像素子２１に結像させるようにする。
【００４０】
このようにすると、上記の実施形態１の場合と同様に、第１原稿読み取り部１１にセットされた原稿Ｐ１の読み取りと、自動原稿送り装置１３によって第２原稿読み取り部１４に導かれた原稿Ｐ２の読み取りとを適切に切り換えて、１つの撮像素子２１によってこれらの原稿Ｐ１，Ｐ２を適切に読み取ることができるようになる。
【００４１】
［実施形態３］
実施形態３の画像読取装置は、図７及び図８に示すように、上記の実施形態２の画像読取装置において、第１原稿読み取り部１１にセットされた原稿Ｐ１において反射された光を、第１光路Ｌ１を通してレンズ２０に導く途中に設けられた上記の第２ミラー１８とハーフミラーで構成された第３ミラー１９との間に第１シャッター装置２４を設けると共に、自動原稿送り装置１３によって第２原稿読み取り部１４に導かれた原稿Ｐ２において反射された光が導かれる第４ミラー２３の上流側に第２シャッター装置２５を設けている。
【００４２】
また、この実施形態３においては、撮像素子２１に導く光を第１光路Ｌ１と第２光路Ｌ２との間で切り換える切り換え手段３０として、上記の第１シャッター装置２４と第２シャッター装置２５との開閉を行うシャッター駆動装置３３を設けている。
【００４３】
そして、この実施形態３においては、図９に示すように、第１原稿読み取り部１１にセットされた原稿Ｐ１の読み取りを指示する第１指示手段４１と、自動原稿送り装置１３によって第２原稿読み取り部１４に導かれた原稿Ｐ２の読み取りを指示する第２指示手段４２とから、上記の制御装置４３にそれぞれの指示を出力し、これに基づいて、制御装置４３により上記のシャッター駆動装置３３を駆動させて、第１シャッター装置２４と第２シャッター装置２５との開閉を制御するようにしている。
【００４４】
ここで、この実施形態３の画像読取装置において、第１原稿読み取り部１１にセットされた原稿Ｐ１を読み取る場合には、図７に示すように、上記の光源出力装置３２により第１光源１６と第２光源２２とをともに点灯させると共に、上記のシャッター駆動装置３３により、第１シャッター装置２４を開ける一方、第２シャッター装置２５を閉じるようにする。そして、第１スライダーＳａと第２スライダーＳｂとを原稿読取り方向に移動させながら、第１原稿読み取り部１１にセットされた原稿Ｐ１に対して、第１スライダーＳａに設けられた第１光源１６から光を照射させ、この原稿Ｐ１において反射された光を、上記の第１ミラー１７〜第３ミラー１９により順々に反射させ、第１光路Ｌ１を通して上記のレンズ２０に導き、このレンズ２０によって原稿Ｐ１において反射された光を撮像素子２１に結像させるようにする。なお、この場合、第２光源２２から第２原稿読み取り部１４に照射されて反射された光は、上記の第２シャッター装置２５によって遮断され、上記の第４ミラー２３に導かれなくなる。
【００４５】
一方、第２原稿読み取り部１４に導かれた原稿Ｐ２を読み取る場合には、図８に示すように、光源出力装置３２により第１光源１６と第２光源２２とをともに点灯させると共に、上記のシャッター駆動装置３３により、第１シャッター装置２４を閉じる一方、第２シャッター装置２５を開けるようにする。そして、第２原稿読み取り部１４に導かれた原稿Ｐ２に第２光源２２から光を照射させ、この原稿Ｐ２において反射された光を、上記の第４ミラー２３において反射させ、この第４ミラー２３によって反射された光を、第２光路Ｌ２上に位置するハーフミラーで構成された第３ミラー１９を通してレンズ２０に導き、このレンズ２０によって原稿Ｐ２において反射された光を撮像素子２１に結像させるようにする。なお、この場合、第１光源１６から第１原稿読み取り部１１に照射されて反射された光は、上記の第１シャッター装置２４によって遮断され、上記の第３ミラー１９に導かれなくなる。
【００４６】
このようにすると、上記の実施形態１，２の場合と同様に、第１原稿読み取り部１１にセットされた原稿Ｐ１の読み取りと、自動原稿送り装置１３によって第２原稿読み取り部１４に導かれた原稿Ｐ２の読み取りとを適切に切り換えて、１つの撮像素子２１によってこれらの原稿Ｐ１，Ｐ２を適切に読み取ることができるようになる。
【００４７】
ここで、この実施形態３の画像読取装置においては、第１原稿読み取り部１１にセットされた原稿Ｐ１を読み取る場合と、自動原稿送り装置１３によって第２原稿読み取り部１４に導かれた原稿Ｐ２の読み取り場合との何れにおいても、第１光源１６と第２光源２２との両方を点灯させるようにしたが、上記の実施形態１，２の場合と同様に、第１原稿読み取り部１１にセットされた原稿Ｐ１を読み取る場合には、第１光源１６だけを点灯させ、第２原稿読み取り部１４に導かれた原稿Ｐ２の読み取り場合には、第２光源２２だけを点灯させるようにすることも可能である。
【００４８】
また、この実施形態３の画像読取装置においては、上記の第１シャッター装置２４を、第２ミラー１８とハーフミラーで構成された第３ミラー１９との間に設けるようにしたが、第１原稿読み取り部１１と第１ミラー１７との間や、第１ミラー１７と第２ミラー１８との間に設けるようにすることもできる。また、第２シャッター装置２５を、第２原稿読み取り部１４に導かれた原稿Ｐ２において反射された光が導かれる第４ミラー２３の上流側に設けるようにしたが、第４ミラー２３の下流側であって上記の第３ミラー１９との間に設けるようにすることもできる。
【００４９】
また、この実施形態３の画像読取装置において、上記の第１シャッター装置２４と第２シャッター装置２５として、高速で開閉が行える光シャッター等を用いた場合には、第１シャッター装置２４と第２シャッター装置２５とにおける開閉を瞬時に交互に行い、撮像素子２１に導く光を、第１光路Ｌ１と第２光路Ｌ２とで瞬時に交互に切り換え、上記の撮像素子２１において、第１原稿読み取り部１１にセットされた原稿Ｐ１の読み取りと、自動原稿送り装置１３によって第２原稿読み取り部１４に導かれた原稿Ｐ２の読み取りとを同時に行い、その後、撮像素子２１に読み取られた原稿Ｐ１と原稿Ｐ２とを、画像処理装置（図示せず）により分離させるようにすることもできる。
【００５０】
次に、上記のような実施形態における画像読取装置において、上記の第１指示手段４１により、第１原稿読み取り部１１にセットされた第１の原稿Ｐ１を読み取る要求が行われた後、第２指示手段４２により、原稿トレイ１２にセットされた第２の原稿Ｐ２を第２原稿読み取り部１４に導き、この第２原稿読み取り部１４において第２の原稿Ｐ２を読み取る要求が行われた場合における動作を、図１０に示すフローチャートに基づいて説明する。
【００５１】
先ず、第１原稿読み取り部１１にセットされた第１の原稿Ｐ１に対して上記の第１指示手段４１による読取要求があったか否かを判断し（Ｓ１）、読取要求があった場合には第１の原稿Ｐ１の読み取りを行う（Ｓ２）。
【００５２】
次いで、第１の原稿Ｐ１の読み取りが終了したかを判断し（Ｓ３）、読み取りが終了していない場合には、第１の原稿Ｐ１の読み取りを続けて行う（Ｓ２）。一方、第１の原稿Ｐ１の読み取りが終了した場合には、上記の第２指示手段４２による第２の原稿Ｐ２の読取要求が行われているかを判断する（Ｓ４）。
【００５３】
そして、第２の原稿Ｐ２の読取要求がない場合には動作を終了する一方、第２指示手段４２による第２の原稿Ｐ２の読取要求が行われている場合には、第２の原稿Ｐ２の読み取りを行う（Ｓ５）。
【００５４】
次いで、原稿トレイ１２にセットされた全ての第２の原稿Ｐ２の読み取りが終了したかを判断し（Ｓ６）、終了していない場合には、第２の原稿Ｐ２の読み取りを続けて行う（Ｓ５）一方、全ての第２の原稿Ｐ２の読み取りが終了した場合には、動作を終了する。
【００５５】
また、上記の画像読取装置において、上記の第２指示手段４２により、原稿トレイ１２にセットされた第２の原稿Ｐ２を第２原稿読み取り部１４に導き、この第２原稿読み取り部１４において第２の原稿Ｐ２を読み取る要求が行われた後、上記の第１指示手段４１により、第１原稿読み取り部１１にセットされた第１の原稿Ｐ１を読み取る要求が行われた場合の動作を、図１１に示すフローチャートに基づいて説明する。
【００５６】
先ず、原稿トレイ１２にセットされた第２の原稿Ｐ２に対して上記の第２指示手段４２による第２の原稿Ｐ２の読取要求があったか否かを判断し（Ｓ１１）、第２の原稿Ｐ２読取要求があった場合には、第２の原稿Ｐ２の読み取りを行う（Ｓ１２）。
【００５７】
そして、この読み取り中の第２の原稿Ｐ２の読み取りが終了したかを判断し（Ｓ１３）、この第２の原稿Ｐ２の読み取りが終了していない場合には、この第２の原稿Ｐ２の読み取りを続けて行う（Ｓ１２）。一方、読み取り中の第２の原稿Ｐ２の読み取りが終了した場合には、上記の第１指示手段４１によって第１原稿読み取り部１１にセットされた第１の原稿Ｐ１に対する読取要求が行われているかを判断する（Ｓ１４）。
【００５８】
ここで、第１指示手段４１により第１の原稿Ｐ１に対する読取要求が行われている場合には、第１の原稿Ｐ１の読み取りを行い（Ｓ１５）、この第１の原稿Ｐ１の読み取りが終了したかを判断し（Ｓ１６）、第１の原稿Ｐ１の読み取りが終了していない場合には、第１の原稿Ｐ１の読み取りを続けて行う（Ｓ１５）。そして、第１の原稿Ｐ１の読み取りが終了した場合には、上記の原稿トレイ１２にセットされた第２の原稿Ｐ２が残っているかを判断する（Ｓ１７）。
【００５９】
また、第１指示手段４１による第１の原稿Ｐ１に対する読取要求の判断（Ｓ１４）において、第１指示手段４１による第１の原稿Ｐ１に対する読取要求が行われていない場合には、上記の場合と同様に、原稿トレイ１２にセットされた第２の原稿Ｐ２が残っているかを判断する（Ｓ１７）
【００６０】
そして、原稿トレイ１２にセットされた第２の原稿Ｐ２が残っている場合には、上記の第２の原稿Ｐ２の読み取り動作（Ｓ１２）に戻り、上記のような動作（Ｓ１２〜Ｓ１７）を原稿トレイ１２にセットされた第２の原稿Ｐ２が無くなるまで繰り返して行い、原稿トレイ１２にセットされた第２の原稿Ｐ２がなくなった場合には、動作を終了する。
【００６１】
なお、上記の実施形態３の画像読取装置において、第１シャッター装置２４と第２シャッター装置２５にそれぞれ高速で開閉が行える光シャッター等を用いた場合においては、第１指示手段４１により、第１原稿読み取り部１１にセットされた第１の原稿Ｐ１を読み取る指示と、第２指示手段４２により、原稿トレイ１２にセットされた第２の原稿Ｐ２を自動原稿送り装置１３により第２原稿読み取り部１４に導いて読み取る指示とが行われた場合には、撮像素子２１に導く光を、第１光路Ｌ１と第２光路Ｌ２とで交互に切り換え、撮像素子２１により、第１原稿読み取り部１１にセットされた原稿Ｐ１の読み取りと、自動原稿送り装置１３によって第２原稿読み取り部１４に導かれた原稿Ｐ２の読み取りとを同時に行うようにすることもできる。
【符号の説明】
【００６２】
１１  第１原稿読み取り部
１２  原稿トレイ
１３  自動原稿送り装置
１４  第２原稿読み取り部
１５  押え蓋
１６  第１光源
１７  第１ミラー
１８  第２ミラー
１９  第３ミラー
２０  レンズ
２１  撮像素子
２２  第２光源
２３  第４ミラー
２４  第１シャッター装置
２５  第２シャッター装置
３０  切り換え手段
３１  回動装置
３２  光源出力装置
３３  シャッター駆動装置
４１  第１指示手段
４２  第２指示手段
４３  制御装置
Ｐ１，Ｐ２  原稿
Ｓａ  第１スライダー
Ｓｂ  第２スライダー
【図１】
2012249088.tif 000003
【図２】
2012249088.tif 000004
【図３】
2012249088.tif 000005
【図４】
2012249088.tif 000006
【図５】
2012249088.tif 000007
【図６】
2012249088.tif 000008
【図７】
2012249088.tif 000009
【図８】
2012249088.tif 000010
【図９】
2012249088.tif 000011
【図１０】
2012249088.tif 000012
【図１１】
2012249088.tif 000013